(57)【要約】【課題】簡単な構造により既設サッシなどが屋内側に露出しないようにして内観体裁をよくするとともに、断熱効果にも優れるリフォームサッシ。【解決手段】建物の窓開口部１に設けられた掃き出し窓タイプの既設サッシＡの内方に上下ベース材４０、４１と縦ベース材４２とからなるベース枠Ｃを固定し、該ベース枠Ｃの内方に新設サッシＢを固定したリフォームサッシであって、上記窓開口部１の屋内側の床面７９には、上記ベース枠の下ベース材４１と床面との間を室内側から覆う合成樹脂製の室内額縁５８を取り付け、該室内額縁５８の内部には金属製の補強芯材８６を設けた。【選択図】図１
2008223288.tif 000002
【特許請求の範囲】
【請求項１】
建物の窓開口部に設けられた掃き出し窓タイプの既設サッシの内方に上下ベース材と縦ベース材とからなるベース枠を固定し、該ベース枠の内方に新設サッシを固定したリフォームサッシであって、上記窓開口部の屋内側の床面には、上記ベース枠の下ベース材と床面との間を室内側から覆う合成樹脂製の室内額縁を取り付け、該室内額縁の内部には金属製の補強芯材を設けたことを特徴とするリフォームサッシ。
【請求項２】
上記新設サッシの下枠の屋内側の端部には樹脂アングルが屋内側に突出形成され、上記樹脂アングルの下方に樹脂ブロックが配置され、該樹脂ブロックは上記室内額縁と接合されたことを特徴とする、請求項１に記載のリフォームサッシ。
【請求項３】
上記室内額縁はアルミニウム製の補強芯材の上部の屋内側を合成樹脂製の額縁本体で覆ってなるものである、請求項１又は２に記載のリフォームサッシ。
【発明の詳細な説明】
【技術分野】
【０００１】
本発明は、掃き出し窓タイプの既設サッシを新しいサッシに代えるに際し、既設サッシを取り付けた状態のまま新しいサッシを取り付けた場合に、既設サッシなどが屋内側に露出しないようにするためのリフォームサッシに関する。
【背景技術】
【０００２】
既設サッシを新しいサッシに代える場合、既設サッシを窓開口部から取り外して新しいサッシに付け替えることが考えられるが、既設サッシの取り外し作業には手間や時間や費用がかかるので煩わしい。そのため、既設サッシを窓開口部に取り付けた状態のまま新しいサッシを取り付ける改装サッシが考えられている（特許文献１、２参照）。
【０００３】
これは、既設サッシが内付けサッシの場合、その上部屋外側に取付部材を固定し、取付部材の上に新設サッシを支持させ、取付部材の屋外側の垂直面に新設サッシの取付フィンをネジ止め固定するとともに、新設サッシの屋内側には窓開口部の内周面に金属製の化粧額縁を回し、さらに化粧額縁の屋内側には木質化粧材を額縁状に回し、さらに金属製化粧額縁と木質化粧材との間にキャップを配設する構成である。
【０００４】
上記構成によれば、屋内側には新設サッシとともに化粧額縁と木質化粧材とキャップが露出するが、既設サッシは見えないようにカバーされているので、一定の体裁は確保される。
【特許文献１】特開２００３−８２９４１号公報
【発明の開示】
【発明が解決しようとする課題】
【０００５】
しかしながら、上記改装サッシでは、化粧額縁はアルミニウムの押出形材製の部材であるから、新設サッシでは断熱性は期待できない。したがって、内部に断熱障子を収容してもその断熱効果は限定されている。
【０００６】
また、新設サッシの屋内側に化粧額縁とキャップと木質化粧材を取り付けなければならないので、部品点数が多く、それぞれを位置決めしたりネジ止めしたりするのに手間がかかり、施工が面倒である。
【０００７】
さらに、新設サッシの屋内側を処理する部材が金属製化粧額縁と合成樹脂製キャップと木製化粧材と、全て材質が異なるものであり、特に木製の化粧材は建具業者の取り扱い分野であるから、サッシ業者にとってなじみにくく、熟練を要する作業となる。
【０００８】
さらに、上記改装サッシは専用の新設サッシを使用するから問題ないが、汎用サッシを使用するときは、特に室内側の高さが上枠と下枠とで異なる場合がある。その対応が問題である。
【０００９】
本発明は、上記問題点を解消し、掃き出し窓タイプの既設サッシを取り付けた状態のまま新しいサッシを取り付け可能で、しかも簡単な構造により既設サッシなどが屋内側に露出しないようにして内観体裁をよくすることができ、断熱効果にも優れるリフォームサッシを提供することをその課題とする。
【課題を解決するための手段】
【００１０】
前記課題を解決するため、請求項１に係る発明は、建物の窓開口部に設けられた掃き出し窓タイプの既設サッシの内方に上下ベース材と縦ベース材とからなるベース枠を固定し、該ベース枠の内方に新設サッシを固定したリフォームサッシであって、上記窓開口部の屋内側の床面には、上記ベース枠の下ベース材と床面との間を室内側から覆う合成樹脂製の室内額縁を取り付け、該室内額縁の内部には金属製の補強芯材を設けたことを特徴とする。
【００１１】
請求項２に係る発明は、請求項１において、上記新設サッシの下枠の屋内側の端部には樹脂アングルが屋内側に突出形成され、上記樹脂アングルの下方に樹脂ブロックが配置され、該樹脂ブロックは上記室内額縁と接合されたことを特徴とする。
【００１２】
請求項３に係る発明は、請求項１又は２において、上記室内額縁はアルミニウム製の補強芯材の上部に合成樹脂製の額縁本体を係止装着したものであることを特徴とする。
【発明の効果】
【００１３】
請求項１に係る発明によれば、窓開口部の屋内側の床面には、ベース枠の下ベース材と床面との間を室内側から覆う合成樹脂製の室内額縁を取り付け、該室内額縁の内部には金属製の補強芯材を設けたから、上記室内額縁の強度は十分に確保され、人が乗っても支障がない。また、室内額縁によって下ベース材と既設サッシの下枠の屋内側がカバーされるので、内観体裁がよい。
【００１４】
請求項２に係る発明によれば、新設サッシの下枠の屋内側の端部には樹脂アングルが屋内側に突出形成され、上記樹脂アングルの下方に樹脂ブロックが配置され、該樹脂ブロックは上記室内額縁と接合しているので、既設サッシとベース枠と新設サッシの下枠部分がともに金属製であっても、リフォームサッシを施工することにより全体として断熱性の高いサッシが得られる。したがって、障子を断熱障子にすれば、全体を断熱窓にすることができる。
【００１５】
請求項３に係る発明によれば、室内額縁はアルミニウム製の補強芯材の上部に合成樹脂製の額縁本体を係止装着したものであるから、額縁本体を補強芯材から取り外すことができ、したがって額縁本体が損傷したり経年劣化したりしたときは簡単に交換することができる。
【発明を実施するための最良の形態】
【００１６】
図１は本発明に係るリフォームサッシの縦断面図、図２は横断面図であり、図３及び図４はそれぞれ縦断面と横断面の分解図である。
【００１７】
［既設サッシの構成］
上図において符号Ａは掃き出し窓タイプの既設サッシを示す。この既設サッシＡは建物躯体の窓開口部１の周縁材（窓台１０とまぐさ１１と柱９）に設けられた窓タイプの内付けサッシで、上枠２、下枠３及び左右の縦枠４とから方形に枠組みされている。上枠２は、上枠本体２ａの屋外側から外方に突出する釘打ちフィン５ａが形成され、屋外側と屋内側の内方には内障子と外障子の案内片６が形成され、屋外側端部には網戸の案内片７、屋内側端部には係合片８が垂下形成されている。そして、上記釘打ちフィン５ａが窓開口部１のまぐさ１１の屋外端面にネジ止め固定されているとともに、上枠本体２ａの屋内側がまぐさ１１の下面からネジ止め固定されている。
【００１８】
下枠３は、下枠本体３ａの屋外側には外方に突出する釘打ちフィン５ｂが形成され、屋外側端部には網戸レール１２、屋外側と屋内側の内方には内障子用内レール１３と外障子用外レール１４が段状に形成され、屋内側端部の上部には内レール１３と同じ高さの立上り片１５が、下部には前倒れ防止用の取付片１６が形成されている。そして、上記釘打ちフィン５ｂが窓開口部１の窓台１０の屋外端面にネジ止め固定されているとともに、取付片１６は床材７９の上面からネジ止め固定されている。
【００１９】
縦枠４は、縦枠本体４ａの中間部には外方に突出する釘打ちフィン５ｃが形成され、釘打ちフィン５ｃと反対側の内方には内障子と外障子の案内片１７が形成され、屋内側端部には係合片１８が形成されている。そして、上記釘打ちフィン５ｃが窓開口部１の柱９の屋外側端面にネジ止め固定されている。
【００２０】
上記構成により、既設サッシＡの屋外側の端部は面一になるように形成されている。なお、既設サッシＡの屋内側の上部と側部には木製の額縁２０が配設されている。
【００２１】
［新設サッシの構成］
次に、符号Ｂは新設サッシで、この新設サッシＢはリフォーム専用ではなく、半外付けの一般的サッシである。
【００２２】
上枠２１は、上枠本体２１ａの中間部から外方に突出する釘打ちフィン２４ａが形成され、釘打ちフィン２４ａをはさんで屋外側と屋内側の内方には内障子と外障子の案内片２５が形成され、屋外側端部には網戸の案内片２６、屋内側端部には合成樹脂製のアングル材２７が一体に取り付けられている。
【００２３】
下枠２２には、下枠本体２２ａの中間部には外方に突出する釘打ちフィン２４ｂが形成され、釘打ちフィン２４ｂをはさんで屋外側と屋内側の内方には内障子用内レール３０と外障子用外レール３１が形成され、屋外側端部には網戸レール３２、屋内側端部の上部には立上り片３３が、下部には取付片３４が形成されている。立上り片３４の上部には合成樹脂製のアングル材３５が係止固定されている。なお、内レール３０と外レール３１とアングル材３５とはほぼ水平になるように揃えられている。
【００２４】
縦枠２３は、縦枠本体２３ａの中間部に外方に突出する釘打ちフィン２４ｃが形成され、釘打ちフィン２４ｃと反対側の内方には内障子と外障子の案内片３６が形成されている。縦枠本体２３ａの屋外側と屋内側の端部は断面がＴ字形に形成されている。
枠組みされたとき、釘打ちフィン２４ａ、２４ｂ、２４ｃは新設サッシＢの外周に面一になる。
【００２５】
なお、上下枠２１、２２と縦枠２３の屋内側には合成樹脂製の樹脂ブロック３７ａ、３７ｂ及び３７ｃが固定されるが、これらの取付作業は上下枠２１、２２と縦枠２３の取付作業が終了した後に行う。まず、両側に縦ブロック３７ｃを取り付け、その間に上下ブロック３７ａ、３７ｂを入れ込んでアングル側からネジで止めればよい。
【００２６】
［ベース材］
次に、新設サッシＢはベース枠Ｃを介して既設サッシＡ上に取り付けられる。ベース枠Ｃは上ベース材４０、下ベース材４１及び縦ベース材４２から方形に枠組みされ、それぞれアルミニウムの押出型材からなり、中央の取付壁４３をはさんで平坦部４４、４５を形成してなるもので、取付壁４３は窓開口部１の面方向と平行に形成され、平坦部４４、４５は窓開口部１の面方向と垂直に形成されるものである。屋外側の平坦部４５は取付壁４３の外方端（窓開口部１の周面に近い側の端部）から屋外側に延出されている。屋内側の平坦部４４は取付壁４３の内方端（窓開口部１の周面から遠い側の端部）から屋内側に延出されている。また、下ベース材４１の屋外側の平坦部４５は、さらに屋内側の水平部４５ａと屋外側のわずかに斜めに形成された緩斜面部４５ｂとから構成され、平坦部４５の先端からは当接片４６が取付壁４３と平行に垂下形成されている。取付壁４３と屋内側平坦部４４の底辺部と屋外側平坦部４５の水平部４５ａとは、他の部分に比べて肉厚に形成されている。また、上記当接片４６の先端は屋内側に屈曲して係止片４７が形成されている。さらに、上記屋内側の平坦部４４は中空に形成され、上ベース材４０と下ベース材４１の屋外側中空部４８には、長手方向に沿って内方に開口する溝４９が形成されている。なお、下ベース材４１の屋外側端部の当接片４６から取付壁４３までの長さは、既設サッシＡの下枠３の網戸レール１２から外レール１４と内レール１３の間の外レール１４寄りの位置（外レール１４上でもよい）までの長さとする。
【００２７】
上ベース材４０、下ベース材４１及び縦ベース材４２の幅寸法はすべて同じに設定され、また上記屋外側の端部から取付壁４３までの寸法及び取付壁４３から屋内側の端部までの寸法も同じ長さに設定されている。
【００２８】
［リフォームサッシの施工方法］
次に、既設サッシＡに新設サッシＢを取り付けるにあたっては、まず既設サッシＡの内周面に沿ってベース枠Ｃを配設する。その際、図１〜図５に示されるように、下ベース材４１を上記下枠３上に取り付けるときは、屋外側の水平な平坦部４５を外レール１４の上に載置して支持させ、屋内側の水平な平坦部４４を内レール１３と立上り片１５の上に載置して支持させる。そして、屋外側の端部の当接片４６を網戸レール１２に当接させて位置出しをする。このとき、下ベース材４１の取付壁４３は、既設サッシＡの下枠３の外レール１４と内レール１３の間の外レール１４寄りに位置する。位置決め後、屋内側の平坦部４４から長いネジ５０で既設サッシＡとともに窓台１０に一体的にネジ止めする。このとき、ネジ５０は上記平坦部４４の上面部の作業孔（図示せず）から挿通し、頭部が中空部４８の底部に達するまでねじ込むようにするのが好ましい。
【００２９】
次に、上ベース材４０は、屋外側の端部の当接片４６を既設サッシＡの上枠２の網戸案内片７に係合させて位置出しをし、下ベース材４１と同様に、屋内側の平坦部４４から長いネジ５０では既設サッシＡとともにまぐさ１１に一体的にネジ止めする。
【００３０】
さらに、縦ベース材４２は、屋外側の端部を既設サッシＡの縦枠４の屋外側端面に合わせて位置出しをすればよいが、安定的に固定するため、図６に示されるように、縦ベース材４２の上端と下端に位置出し用の係合板５１を固定して上方と下方に突出させ、これを下ベース材４１及び上ベース材４０の溝４９に係合させればよい。７０は係合板５１の位置決め用ノッチである。これにより、縦ベース材４２は容易且つ確実に所定の位置に安定的に位置決めされる。その後、屋内側の平坦部４４から長いネジ５０で既設サッシＡとともに柱に一体的にネジ止めすることにより、所定の位置に固定される。なお、係合板５１は縦ベース材４２の上端又は下端の一方にのみ固定して位置出しするようにしてもよい。
【００３１】
上記構成により、上ベース材４０、下ベース材４１及び縦ベース材４２は既設サッシＡの下枠３の網戸レール１２を基準として、既設サッシＡの内周面に沿って配設されてベース枠Ｃが組み立てられ、取付壁４３は面一に揃えられる。
【００３２】
次に、上記ベース枠Ｃに新設サッシＢを取り付ける場合、まず新設サッシＢを方形に枠組みして窓開口部１のベース枠Ｃに嵌合させ、新設サッシＢの下枠２２を下ベース材４１の屋内側の平坦部４４上に載置する。そして、新設サッシＢの上下枠２１、２２と縦枠２３の中間部の釘打ちフィン２４ａ、２４ｂ、２４ｃを取付壁４３に当接してネジ５２で固定する。また、下枠２２は図５に示されるように、屋内側端部の取付片３４を下ベース材４１の平坦部４４にネジで固定し、上枠２１と縦枠２３は調整材５３を介して上ベース材４０と縦ベース材４２にネジ止めする。これにより、新設サッシＢはベース枠Ｃに固定される。
【００３３】
さらに、新設サッシＢの屋内側に合成樹脂製の長尺の樹脂ブロック３７ｂを固定する。上下の樹脂ブロック３７ａ、３７ｂは上下枠２１、２２のアングル材２７、３５にネジ止め固定し、縦の樹脂ブロック３７ｃも同様とする。これによって各樹脂ブロック３７ａ、３７ｂ、３７ｃはベース材４０、４１、４２の屋内側の端面と面一になるように配置される。
【００３４】
上述の構成によれば、新設サッシＢを施工するにあたり、既設サッシＡにはベース枠Ｃを取り付け、ベース枠Ｃ内に新設サッシＢを嵌合配置して釘打ちフィン２４ａ、２４ｂ、２４ｃを取付壁４３にビス止め固定すればよいので、手間がかからず、施工が容易である。
【００３５】
しかも、一般にサッシの外周面には釘打ちフィンが設けられているが、これに対応してベース枠Ｃには取付壁４３が設けられているので、ベース枠Ｃには、専用サッシではなく一般サッシであっても取り付けることができるとともに、その取付けは慣れた作業となり、容易迅速に行うことができる。
【００３６】
上記構成の外観化粧処理によれば、新設サッシＢとベース枠Ｃとの間及びベース枠Ｃと既設サッシＡとの間の部分はカバー材５４、５５、５６によって屋外側からカバーされる。したがって、外観体裁がよい。
【００３７】
［内観の化粧処理］
次に、屋内側からもベース枠Ｃや既設サッシＡが見えるので、内観の体裁をよくするため、新設サッシＢの屋内側は合成樹脂製の上下部と側部室内額縁５７、５８、５９によってカバーされている。
【００３８】
上部と側部の室内額縁５７、５９は合成樹脂からなり、それぞれ基本額縁材６３と補助額縁材６４とから構成され、図３に示されるように、基本額縁材６３は額縁材本体６５の外方に２本の脚部６６を突出したものであり、額縁材本体６５の屋内側には嵌合溝６７が形成され、嵌合溝６７にはキャップ６９が着脱自在に設けられている。補助額縁材６４は基本額縁材６３の脚部６６に対応する部位に、嵌合溝６７に嵌合可能な嵌合片６８を形成した形状となっている。
【００３９】
基本額縁材６３は上記ベース材と樹脂ブロック３７の屋内側端面に当接され、嵌合溝６７から挿通された長いネジ５０によって窓台１０とまぐさ１１と柱９にネジ止め固定されている。そして、図の上部及び側部の室内額縁５７、５９のように、高さが不十分な場合には基本額縁材６３の上にさらに補助額縁材６４を重合して嵌合片６８を基本額縁材６３の嵌合溝６７に嵌合して固定すればよい。なお、上記室内額縁５７、５８、５９は樹脂ブロック３７ａ、３７ｂ、３７ｃと一体的に配置される。
【００４０】
上記構成により、新設サッシＢとベース枠Ｃとの間及びベース枠Ｃと既設サッシＡとの間の部分は図１及び図５に示されるように、室内額縁５７、５８、５９によって覆われ、屋内側から隠蔽される。後は新設サッシＢ内に内障子ａ、外障子ｂと網戸ｃを納めれば完成する。
【００４１】
次に、下部の室内額縁５８はアルミニウム製の補強芯材８６の上部の屋内側を合成樹脂製の額縁本体５８ａで覆ってなるもので、補強芯材８６は、屋内側と屋外側の１対の脚片７２、７３のうちの屋外側の脚片７３の上部には縦長中空部７４を形成し、屋内側の脚片７２の上部近傍からＬ形片７５を突設し、Ｌ形片７５の上端には上記中空部７４の側面に連結される水平片７６を形成し、水平片７６の端部から上方に、先端が斜めに傾斜した起立片７７を形成したもので、中空部７４の上端の角隅部には係止溝７８が形成されている。
【００４２】
また、額縁本体５８ａは、上記屋内側の脚片７２と起立片７７とを覆う垂直部８０と、垂直部８０の上端から上記起立片７２の上端と上記補強芯材８６の中空部７４の角隅部とをむすぶ傾斜と同じ勾配を有する傾斜する傾斜部８１と、傾斜部８１の端部からさらに水平に延びる水平部８２とから構成されている。そして、垂直部８０の中間部には上記補強芯材８６の屋内側の脚片７２の上端に対応する係止溝８３が形成され、傾斜部８１の基部側には上記補強芯材８６の起立片７７の先端に対応する係合片８４が垂下形成され、さらに水平部８２の端部には補強芯材８６の係止溝７８に対応する係止片８５が垂下形成されている。
【００４３】
図５に詳しく示すように、下部の室内額縁５８は、額縁本体５８ａを補強芯材８６に対し、垂直部８０の係止溝８３に補強芯材８６の屋内側の脚片７２の上端を係止させ、傾斜部８１の基部側係合片８４を補強芯材８６の起立片７７の先端に係合し、さらに、水平部８２の端部の係止片８５を補強芯材８６の係止溝７８に係止させることにより一体に結合している。
【００４４】
上記構成によれば、上記窓開口部の周縁材には、ベース枠Ｃと既設サッシＡとを屋内側から覆う合成樹脂製の室内額縁５７、５９を取り付けたから、室内額縁５７、５９によってベース枠Ｃと既設サッシＡの屋内側がカバーされるので、内観体裁がよい。また、下部の室内額縁５８は下ベース材４１と床面７９との間を室内側から覆っているから、室内額縁５８によって下ベース材４１と既設サッシＡの下枠３の屋内側がカバーされるので、内観体裁がよい。室内額縁５８の内部には金属製の補強芯材８６を設けたから、上記室内額縁５８の強度は十分に確保され、人が乗っても支障がない。
【００４５】
さらに、室内額縁５８はアルミニウム製の補強芯材８６の上部に合成樹脂製の額縁本体５８ａを係止装着したものであるから、額縁本体５８ａを補強芯材８６から取り外すことができ、したがって額縁本体５８ａが損傷したり経年劣化したりしたときは簡単に交換することができる。
【００４６】
また、上記下枠２２の屋内側には合成樹脂製の樹脂ブロック３７ｂを設けるとともに、上記下ベース材４１の屋内側には合成樹脂製の室内額縁５８を設け、上記樹脂ブロック３７ｂと室内額縁５８とを接合させて一体的に配置されているから、既設サッシＡとベース枠Ｃと新設サッシＢがともに金属製であっても、リフォームサッシを施工することにより全体として断熱性の高いサッシが得られる。したがって、障子を断熱障子にすれば、全体を断熱窓にすることができる。
【００４７】
さらに、上部と側部の室内額縁５７、５９は基本額縁材６３と補助額縁材６４を積み重ね可能に形成されているので、必要に応じて高さを変えることができ、内観や断熱を良好に確保することができる。
【００４８】
［その他］
次に、既設サッシＡが半外付けサッシである場合の対応を下枠部分について説明する。なお、上枠、縦枠部分は前述の例と同様、下枠に準じて構成すればよいので、説明は省略する。また、上図と同じ符号は同じ部材を示すものとする。
【００４９】
図７において既設サッシＡは掃き出し窓タイプの半外付けサッシで、基本的構成は上述の内付けサッシと同じであるが、主に釘打ちフィンの位置が屋内側に寄っている点と下枠の網戸レール１２がより低い点で異なっている。
【００５０】
新設サッシＢとベース枠Ｃは上述の半外付けサッシと同じである。
【００５１】
また、上下及び側部のベース材およびこれらのベース材によって構成されたベース枠Ｃも上述のものと同じである。但し、下ベース材４１の屋外側端部に形成された当接片４６と係止片４７にはピース部材７１が取り付けられている。
【００５２】
上記既設サッシＡにベース枠Ｃを形成し、さらにその内側に新設サッシＢを嵌合してネジ等で固定する取付手順も上述と同じである。
【００５３】
なお、既設の半外付けサッシの網戸レール１２は内付けサッシのものと比べて低いので、下ベース材４１の当接片４６を直接に網戸レール１２に当接させることはできない。位置決め用のピース部材７１を介して網戸レールに当接させればよい。
【００５４】
このように、下ベース材４１の屋外側端部の当接片４６と既設サッシＡの下枠の網戸レール１２とを位置決め用ピース部材７１を介して係合させることにより位置決め可能であり、ピース部材７１は着脱が可能となっているから、工場出荷時に取り付けておき、不要なときは取り外して使用すればよい。
【００５５】
以上のように、上記リフォームサッシ構成によれば、既設サッシＡが内付けサッシであっても半外付けサッシであっても対応することができる。
【００５６】
なお、上記いずれの場合も、室内額縁５７、５９は前述の形態と同様の手順、要領によって取り付ければよい。
【図面の簡単な説明】
【００５７】
【図１】本発明に係るリフォームサッシの縦断面図
【図２】上記リフォームサッシの横断面図
【図３】図１の要部の分解図
【図４】図２の要部の分解図
【図５】図１の下枠部分の拡大図
【図６】縦ベース材の位置出し態様説明図
【図７】既設サッシが半外付けの場合の下枠部分の取付態様を示す縦断面図
【符号の説明】
【００５８】
Ａ    既設サッシ
Ｂ    新設サッシ
Ｃ    ベース枠
４１  下ベース材
５４  上カバー材
５５  下カバー材
５６  縦カバー材
５７、５８、５９  室内額縁
８６  補強芯材
【図１】
2008223288.tif 000003
【図２】
2008223288.tif 000004
【図３】
2008223288.tif 000005
【図４】
2008223288.tif 000006
【図５】
2008223288.tif 000007
【図６】
2008223288.tif 000008
【図７】
2008223288.tif 000009